(57)【特許請求の範囲】
【請求項１】
立てた状態で搬送装置によって順次に送られてくる扁平な郵便物（１５）のための仕分け装置であって，互いに前後に配置されている多数のパイル区画を有しており，これらのパイル区画には，個々のパイル区画にそれぞれ設けられている転向案内部材（３）を介して郵便物が供給され，個々のパイル区画内で郵便物が案内板（４）及びパイリングローラ（１）によってパイリング壁（１２）まで運ばれて，郵便物パイル（１４）が形成され，かつ該郵便物パイルはパイリングローラ（１）によって圧縮されるようになっており，パイリングローラ（１）は，前記先行の郵便物をパイリング壁（１２）まで運んで郵便物パイル（４）を圧縮した後に，しかもパイリングされる次の郵便物（１５）が到着する直前に，レバー（７）を介して郵便物パイル（１４）から離されて，パイリングローラ（１）の位置を変化せしめられ，かつパイリングの際にだけ，案内板（４）に沿ってパイリングローラ（１）まで到達した前記次の郵便物（１５）と当接して該次の郵便物を郵便物パイル（１４）とパイリングローラ（１）との間の間げき内を通してパイリング壁（１２）まで運ぶために，駆動されるようになっている形式のものにおいて，パイリングローラ（１）がパイリングの際に郵便物パイル（１４）から離されると共に搬送装置の搬送ベルト（２）に押しつけられて，駆動されるようにしたことを特徴とする，扁平な郵便物のための仕分け装置。
【請求項２】
パイリングローラ（１）がばねによって郵便物パイル（１４）に押しつけられ，パイリングの際に可動子型磁石がパイリングローラ（１）を搬送ベルト（２）に押しつけるようにしたことを特徴とする，請求項１記載の仕分け装置。
【請求項３】
パイリングローラ（１）と固く結合されている補助ローラ（１ａ）によってゴムのＯリング（６）を介して駆動されるパイリングらせん体（５）が設けられていることを特徴とする，請求項１又は２記載の仕分け装置。
【発明の詳細な説明】
【０００１】
【発明の属する技術分野】
本発明は，立てた状態で搬送装置によって順次に送られてくる扁平な郵便物のための仕分け装置であって，互いに前後に配置されている多数のパイル区画を有しており，これらのパイル区画には，個々のパイル区画にそれぞれ設けられている転向案内部材を介して郵便物が供給され，個々のパイル区画内で郵便物が案内板及びパイリングローラによってパイリング壁まで運ばれて，郵便物パイルが形成され，かつ該郵便物パイルはパイリングローラによって圧縮されるようになっており，パイリングローラは，前記先行の郵便物をパイリング壁まで運んで郵便物パイルを圧縮した後に，しかもパイリングされる次の郵便物が到着する直前に，レバーを介して郵便物パイルから離されて，パイリングローラの位置を変化せしめられ，かつパイリングの際にだけ，案内板に沿ってパイリングローラまで到達した前記次の郵便物と当接して該次の郵便物を郵便物パイルとパイリングローラとの間の間げき内を通してパイリング壁まで運ぶために，駆動されるようになっている形式のものに関する。このような仕分け装置は，例えば郵便物仕分け機において，搬送装置によって順次に送られてくる郵便物を郵便番号に基づいて仕分けするのに役立ち，図１に示すように，郵便番号に応じて前後に並べられた多数のパイル区画によって構成されている。
【０００２】
各パイル区画の転向案内部材を介して，郵便物がその郵便番号に相当するパイル区画に供給されて，パイリングされる。各パイル区画の入口には測定区間があり，この測定区間において，郵便物が過度に長いかどうか，あるいは順次に続く郵便物の間隔が過度に小さくないかどうかが調べられる。順次に続く郵便物の間隔は特定の値以下になってはならない。なぜなら転向案内部材がこの間隔に相応する時間内で開閉操作を行うことができなくなるからである。郵便物が仕分け操作を受けなかった場合もしくは郵便物の間の間隔が過度に小さい場合，郵便物は戻し区画に排出される。
【０００３】
【従来の技術】
ヨーロッパ特許庁特許第０１４３８１８号明細書に記載されている前述の形式の仕分け装置においては，扁平な郵便物は立てた状態で搬送装置によって順次に送られてきて，自動的に個々のパイル区画内に仕分けされる。郵便物はそれがパイリングされる直前にその搬送方向の軸線を中心にして湾曲せしめられて，剛性にされる。この公知の仕分け装置の欠点は，封筒が閉じ片（封かん用の折り片）を有しているかあるいは透かし窓（中の住所・あて名を見えるようにした透かし窓）を有している場合，郵便物が互いに引っかかり合って，パイリング壁まで運ばれないことがあるということである。これによって，仕分けされた郵便物パイルを引き続いて処理する際に，手によって郵便物パイルを整え直すことが必要になる。
【０００４】
【発明が解決しようとする課題】
本発明の課題は，郵便物のパイリングの際の損傷をパイル区画の簡単な構成で回避できるようにすることである。
【０００５】
【課題を解決するための手段】
この課題を解決するために本発明の構成では，パイリングローラがパイリングの際に郵便物パイルから離されると共に搬送装置の搬送ベルトに押しつけられて，駆動されるようにした。
【０００６】
【発明の実施の形態】
本発明の有利な実施の形態は請求項２以下に記載したとおりである。パイリングされる郵便物のためにパイリングらせん体が必要な場合に，パイリングらせん体をパイリングローラによって特にゴムのＯリングを介して駆動すると，有利である。このようにすると，長時間新しい郵便物がパイル区画にパイリングされない場合でも，パイリングらせん体による郵便物の損傷が回避される。
【０００７】
【実施例】
以下においては図２〜図４に示した実施例に基づいて本発明の構成を具体的に説明する。
【０００８】
郵便物は立てた状態で搬送ベルト２・８に挟まれて搬送される。搬送ベルト２は例えばローラ９又はローラ１０によって駆動される。搬送ベルト８は連行されるだけである。この場合搬送ベルト８は，確実な郵便物搬送が行われるような程度にローラ１１に巻き掛けられている。パイリングローラ１は補助ローラ１ａと固く結合されている。補助ローラ１ａはローラ５ａ及びゴムのＯリング６を介してパイリングらせん体５を駆動するための溝を有している。転向案内部材３は有利には可動子型磁石によって駆動され，転向案内羽根３ａはパイル区画に向かって突状になっている。パイリングローラ１の軸はレバー７に取り付けられている。図示していないばねがパイリングローラ１を休止状態において郵便物パイル１４に押しつける。この休止状態においてはパイリングローラ１は回転しない。それは，搬送ベルト２によって駆動されないからである。したがってパイリングらせん体５もやはり停止している（図２）。有利には磁石がパイリングの際にパイリングローラ１を搬送ベルト２に押しつけ，パイリング中この状態に維持する。案内板４は定置であり，転向案内部材３とパイリングローラ１との間で郵便物パイル１４に向かって凸状に構成されており，これによって郵便物１５を湾曲させながら案内するようになっている。案内板４は切り欠き部を有しており，パイリングローラ１はパイリング状態でも，休止状態でも，この切り欠き部を貫通している。案内板４はパイリングローラ１の右側でパイリング壁１２に対して垂直になっておらず，郵便物パイル１４とは逆の方向に反り返っている。したがってパイリングされる郵便物１５の前縁は幾分か郵便物パイル１４とは逆の方向に反り返ることができ，パイリング壁１２の直前においてパイル圧力は幾分か減少するようになっている。
【０００９】
パイリングは以下のように行われる。当該のパイル区画内にパイリングされる郵便物１５の前縁が光電装置１６を通過すると直ちに，転向案内部材３が制御される。特定のタイムラグをおいて，すなわちパイリングされる郵便物１５の後縁が光電装置を通過して，郵便物が転向案内部材によって転向せしめられたことが確実になった後に，転向案内部材３が再び図２の位置に戻される。パイリングローラ１は，パイリングされる次の郵便物１５が到着する直前に，レバー７を介して郵便物パイル１４から離されて搬送装置の搬送ベルト２に押しつけられて駆動され，該次の郵便物１５の前縁がパイリングローラ１に達したときに，搬送ベルト２及び８の間で郵便物が搬送される速度にほぼ加速されていて，案内板４に沿ってパイリングローラ１まで到達した該次の郵便物１５と当接して該次の郵便物をパイリング壁１２まで運ぶようになっている（図３では，パイリングローラ１は郵便物１５を運んでいる途中である）。パイリングローラ１の位置の切り替え機構はこのことが行われるように構成されている。パイリングローラ１の回転数に対するパイリングらせん体５の回転数の比は，補助ローラ１ａの直径に対するローラ５ａの直径の比に等しい。パイリングされる郵便物１５の前縁がパイリング壁１２に達すると，パイリングローラ１は搬送ベルト２から引き離される（図２，参照）。これによってパイリングローラ１は改めて郵便物パイル１４を圧縮し，郵便物１５に対する摩擦力によって制動され，停止する。特定の種類の郵便物の場合には，郵便物１５がパイリング壁１２に接触する前にパイリングローラの駆動を遮断して，郵便物１５の前縁の負荷をわずかにすることが有利なことがある。
【００１０】
パイリングらせん体５は案内板４の前方で転向案内部材３とパイリングローラ１との間に位置している。このパイリングらせん体は，通過するパイリングされる郵便物１５の下縁をつかんで，パイリングローラ１を通過しない郵便物の部分を郵便物パイル１４に押しつけるように構成されている。長さ方向に対して直角方向の剛性が大きく，パイリングローラ１だけによって郵便物パイル１４に当てつけられるような郵便物だけをパイリングする場合には，パイリングらせん体５を省略することもできる。郵便物支持板１３は郵便物パイル１４の厚さの増大に応じて連続的に移動するように配置されている。
【００１１】
区画底１７は有利には水平面に対してわずかに傾斜せしめられている。これによって，パイルが増大する際のパイル圧力の増大が抑えられ，遮断されたパイリングローラ１に対するパイルの押し力がほぼ維持される。
【００１２】
２つ以上の郵便物が順次に同じパイル区画にパイリングされる場合には，転向案内部材３の磁石は励磁されたままである。しかしながらパイリングローラ１はその都度搬送ベルト２から遮断されて，郵便物パイル１４を少なくとも部分的に圧縮する。短い郵便物の場合には，郵便物パイル１４を完全に圧縮する時間がないことがある。しかしながら例えば郵便はがきあるいはドイツ工業規格Ｃ６の郵便物のような短い郵便物は閉じ片あるいは透かし窓を有しておらず，パイリング機能に悪影響が及ぼされることはない。転向案内部材３及びパイリングローラ１のための最適の切り替え時間は，仕分け装置の寸法，個々のパイル区画の寸法，郵便物の速度及び郵便物の最小相互間隔に関連している。
【図面の簡単な説明】
【図１】仕分け装置の構成を示した概略図である。
【図２】休止状態のパイル区画を上方から見た図である。
【図３】パイリング状態の図２のパイル区画を上方から見た図である。
【図４】図２のＡ−Ａ線に沿った断面図である。
【符号の説明】
１  パイリングローラ，  １ａ  補助ローラ，  ２  搬送ベルト，  ３  転向案内部材，  ３ａ  転向案内羽根，  ４  案内板，  ５  パイリングらせん体，５ａ  ローラ，  ６  Ｏリング，  ７  レバー，  ８  搬送ベルト，  ９，１０及び１１  ローラ，  １２  パイリング壁，  １３  郵便物支持板，  １４  郵便物パイル，  １５  郵便物，  １６  光電装置，  １７  区画底
【図１】
0003816578.tif 000002
【図２】
0003816578.tif 000003
【図３】
0003816578.tif 000004
【図４】
0003816578.tif 000005